(57)【要約】【課題】簡易にセキュリティシステムを構築できるようにする。【解決手段】ＣＰＵ１１は、撮影により被写体の画像を取得する撮像部２０のモードを、撮影の指示により被写体の画像を取得する通常撮影モードと、所定時間間隔で常時撮影を行って被写体の画像を取得する監視撮影モードとに切り替える。監視撮影モード時には、画像を撮影日時の古い画像に順次上書きしつつ記録媒体２５に記録する。【選択図】図２
2008109575.tif 000002
【特許請求の範囲】
【請求項１】
撮影により被写体の画像を取得する撮像手段と、
該画像を記録する記録手段と、
前記撮像手段の撮影モードを、撮影の指示により前記被写体の画像を取得する通常撮影モードと、所定時間間隔で常時撮影を行って前記被写体の画像を取得する監視撮影モードとに切り替える撮影モード切替手段と、
前記監視撮影モード時には、前記画像を撮影日時の古い画像に順次上書きしつつ前記記録手段に記録する記録制御手段とを備えたことを特徴とする撮影装置。
【請求項２】
前記記録制御手段は、前記通常撮影モードにより取得された画像を前記記録手段における第１のメモリ領域に、前記監視撮影モードにより取得された画像を前記記録手段における第２のメモリ領域に記録する手段であることを特徴とする請求項１記載の撮影装置。
【請求項３】
前記記録制御手段は、前記第１のメモリ領域が不足する場合、前記通常撮影モードにより取得された画像を前記第２のメモリ領域に記録する手段であることを特徴とする請求項２記載の撮影装置。
【請求項４】
前記画像を含む各種表示を行う表示手段と、
前記表示手段の再生モードを、前記通常撮影モードにより取得した画像を再生する通常再生モードと、前記監視撮影モードにより取得した画像を再生する監視再生モードとに切り替える再生モード切替手段と、
前記通常再生モード時には前記通常撮影モードにより取得した画像を再生し、前記監視再生モード時には前記監視撮影モードにより取得した画像を再生する再生制御手段とをさらに備えたことを特徴とする請求項１から３のいずれか１項記載の撮影装置。
【請求項５】
音声を検出する音声検出手段をさらに備え、
前記記録制御手段は、前記監視撮影モード時において、所定の大きさ以上の音声を検出した場合には、該検出から一定時間経過後に前記記録手段への記録を停止する手段であることを特徴とする請求項１から４のいずれか１項記載の撮影装置。
【請求項６】
音声を検出する音声検出手段をさらに備え、
前記記録制御手段は、前記監視撮影モード時において、所定の大きさ以上の音声を検出した場合には、該検出直後に前記撮影により取得した画像を、前記記録手段における上書きを禁止したメモリ領域に記録する手段であることを特徴とする請求項１から４のいずれか１項記載の撮影装置。
【請求項７】
前記撮像手段は、前記所定の大きさ以上の音声を検出した場合に、所定以上の感度にて撮影を行う手段であることを特徴とする請求項５または６記載の撮影装置。
【請求項８】
前記撮像手段は、前記所定の大きさ以上の音声を検出した場合に、所定以上の画素数の画像が取得されるように撮影を行う手段であることを特徴とする請求項５から７のいずれか１項記載の撮影装置。
【請求項９】
前記所定の大きさ以上の音声を検出した場合に、前記撮影により取得した画像に対してシャープネス処理を施す画像処理手段をさらに備えたことを特徴とする請求項５から８のいずれか１項記載の撮影装置。
【請求項１０】
ＡＣアダプタを接続するＡＣ接続手段をさらに備え、
前記撮影モード切替手段は、前記ＡＣ接続手段に前記ＡＣアダプタが接続された場合に、前記撮影モードを前記監視撮影モードに切り替える手段であることを特徴とする請求項１から９のいずれか１項記載の撮影装置。
【請求項１１】
撮影により被写体の画像を取得する撮像手段と、該画像を記録する記録手段とを備えた撮影装置における撮影方法において、
前記撮像手段の撮影モードを、撮影の指示により前記被写体の画像を取得する通常撮影モードと、所定時間間隔で常時撮影を行って前記被写体の画像を取得する監視撮影モードとに切り替え、
前記監視撮影モード時には、前記画像を撮影日時の古い画像に順次上書きしつつ前記記録手段に記録することを特徴とする撮影方法。
【請求項１２】
撮影により被写体の画像を取得する撮像手段と、該画像を記録する記録手段とを備えた撮影装置における撮影方法をコンピュータに実行させるためのプログラムにおいて、
前記撮像手段の撮影モードを、撮影の指示により前記被写体の画像を取得する通常撮影モードと、所定時間間隔で常時撮影を行って前記被写体の画像を取得する監視撮影モードとに切り替える手順と、
前記監視撮影モード時には、前記画像を撮影日時の古い画像に順次上書きしつつ前記記録手段に記録する手順とを有することを特徴とするプログラム。
【発明の詳細な説明】
【技術分野】
【０００１】
本発明は、撮影により画像を取得するデジタルカメラ等の撮影装置および撮影方法、並びに撮影方法をコンピュータに実行させるためのプログラムに関するものである。
【背景技術】
【０００２】
近年、セキュリティ向上のために、家庭内に監視カメラを設置し、留守時の家庭内の状況を常時撮影して監視することが行われている。例えば、ホームサーバーを設置し、家の境界等に設置した監視カメラが撮影した画像や、マイクにより取得した音声をホームサーバーに保存するセキュリティシステムが提案されている（特許文献１参照）。また、デジタルカメラからなる監視カメラを使用し、不審者の侵入を検出した際に監視カメラによる撮影を行い、撮影により取得した画像を記録媒体に記録するようにしたセキュリティシステムも提案されている（特許文献２参照）。
【特許文献１】特開２０００−９９８６２号公報
【特許文献２】特開２００３−１３４４４１号公報
【発明の開示】
【発明が解決しようとする課題】
【０００３】
しかしながら、上記特許文献１，２に記載されたシステムにおいては、監視専用のカメラを用意する必要があり、その結果、セキュリティシステムを構築するためのコストが増大するという問題がある。
【０００４】
本発明は上記事情に鑑みなされたものであり、簡易にセキュリティシステムを構築できるようにすることを目的とする。
【課題を解決するための手段】
【０００５】
本発明による撮影装置は、撮影により被写体の画像を取得する撮像手段と、
該画像を記録する記録手段と、
前記撮像手段の撮影モードを、撮影の指示により前記被写体の画像を取得する通常撮影モードと、所定時間間隔で常時撮影を行って前記被写体の画像を取得する監視撮影モードとに切り替える撮影モード切替手段と、
前記監視撮影モード時には、前記画像を撮影日時の古い画像に順次上書きしつつ前記記録手段に記録する記録制御手段とを備えたことを特徴とするものである。
【０００６】
なお、本発明による撮影装置においては、前記記録制御手段を、前記通常撮影モードにより取得された画像を前記記録手段における第１のメモリ領域に、前記監視撮影モードにより取得された画像を前記記録手段における第２のメモリ領域に記録する手段としてもよい。
【０００７】
この場合、前記記録制御手段を、前記第１のメモリ領域が不足する場合、前記通常撮影モードにより取得された画像を前記第２のメモリ領域に記録する手段としてもよい。
【０００８】
また、本発明による撮影装置においては、前記画像を含む各種表示を行う表示手段と、
前記表示手段の再生モードを、前記通常撮影モードにより取得した画像を再生する通常再生モードと、前記監視撮影モードにより取得した画像を再生する監視再生モードとに切り替える再生モード切替手段と、
前記通常再生モード時には前記通常撮影モードにより取得した画像を再生し、前記監視再生モード時には前記監視撮影モードにより取得した画像を再生する再生制御手段とをさらに備えるものとしてもよい。
【０００９】
また、本発明による撮影装置においては、音声を検出する音声検出手段をさらに備えるものとし、
前記記録制御手段を、前記監視撮影モード時において、所定の大きさ以上の音声を検出した場合には、該検出から一定時間経過後に前記記録手段への記録を停止する手段としてもよい。
【００１０】
また、本発明による撮影装置においては、音声を検出する音声検出手段をさらに備えるものとし、
前記記録制御手段を、前記監視撮影モード時において、所定の大きさ以上の音声を検出した場合には、該検出直後に前記撮影により取得した画像を、前記記録手段における上書きを禁止したメモリ領域に記録する手段としてもよい。
【００１１】
なお、音声検出手段を備えた場合においては、前記撮像手段を、前記所定の大きさ以上の音声を検出した場合に、所定以上の感度にて撮影を行う手段としてもよく、前記所定の大きさ以上の音声を検出した場合に、所定以上の画素数の画像が取得されるように撮影を行う手段としてもよい。
【００１２】
さらに、前記所定の大きさ以上の音声を検出した場合に、前記撮影により取得した画像に対してシャープネス処理を施す画像処理手段をさらに備えるものとしてもよい。
【００１３】
また、本発明による撮影装置においては、ＡＣアダプタを接続するＡＣ接続手段をさらに備えるものとし、
前記撮影モード切替手段を、前記ＡＣ接続手段に前記ＡＣアダプタが接続された場合に、前記撮影モードを前記監視撮影モードに切り替える手段としてもよい。
【００１４】
本発明による撮影方法は、撮影により被写体の画像を取得する撮像手段と、該画像を記録する記録手段とを備えた撮影装置における撮影方法において、
前記撮像手段の撮影モードを、撮影の指示により前記被写体の画像を取得する通常撮影モードと、所定時間間隔で常時撮影を行って前記被写体の画像を取得する監視撮影モードとに切り替え、
前記監視撮影モード時には、前記画像を撮影日時の古い画像に順次上書きしつつ前記記録手段に記録することを特徴とするものである。
【００１５】
なお、本発明による撮影方法をコンピュータに実行させるためのプログラムとして提供してもよい。
【発明の効果】
【００１６】
本発明によれば、撮像手段の撮影モードを、撮影の指示により被写体の画像を取得する通常撮影モードと、所定時間間隔で常時撮影を行って被写体の画像を取得する監視撮影モードとに切り替えるようにし、監視撮影モード時には、画像を撮影日時の古い画像に順次上書きしつつ記録手段に記録するようにしたものである。これにより、１台の撮影装置により、通常の撮影および監視用の撮影の双方を行うことができるため、通常の撮影用の撮影装置と監視用の撮影装置とを別個に用意する必要がなくなる。したがって、セキュリティシステムを低コストにて構築することができる。
【００１７】
また、通常撮影モードにより取得された画像を記録手段の第１のメモリ領域に、監視撮影モードにより取得された画像を第２のメモリ領域に記録することにより、通常撮影モードにより取得した画像と、監視撮影モードにより取得した画像とが混在して記録手段に記録されることを防止できる。
【００１８】
この場合において、第１のメモリ領域が不足する場合に通常撮影モードにより取得された画像を第２のメモリ領域に記録することにより、通常撮影モードにより取得した画像を残しておくことが可能となる。
【００１９】
また、再生モードを通常撮影モードにより取得した画像を再生する通常再生モードと、監視撮影モードにより取得した画像を再生する監視再生モードとに切り替えるようにし、通常再生モード時には通常撮影モードにより取得した画像を再生し、監視再生モード時には監視撮影モードにより取得した画像を再生することにより、通常撮影モードにより取得した画像と監視撮影モードにより取得した画像とが混在して再生されてしまうことを防止できる。
【００２０】
また、監視撮影モード時において、所定の大きさ以上の音声を検出した場合に、検出から一定時間経過後に記録手段への記録を停止することにより、所定の大きさ以上の音声が検出される異常事態において取得した画像が、上書きされて消失してしまうことを防止できる。
【００２１】
また、監視撮影モード時において、所定の大きさ以上の音声を検出した場合に、検出直後に撮影により取得した画像を上書きを禁止したメモリ領域に記録することにより、所定の大きさ以上の音声が検出される異常事態において取得した画像が、上書きされて消失してしまうことを防止できる。
【００２２】
また、所定の大きさ以上の音声を検出した場合に、所定以上の感度にて撮影を行うことにより、所定の大きさ以上の音声が検出される異常事態において、装置が設置された環境の明るさが不足している場合にも、被写体を認識可能な画像を取得することができる。
【００２３】
また、所定の大きさ以上の音声を検出した場合に、所定以上の画素数にて撮影を行うことにより、画像を拡大してもボケが少なくなるため、所定の大きさ以上の音声が検出される異常事態の被写体を詳細に認識することが容易となる。
【００２４】
また、所定の大きさ以上の音声を検出した場合に、撮影により取得した画像に対してシャープネス処理を施すことにより、所定の大きさ以上の音声が検出される異常事態において、画像に含まれる被写体を認識することが容易となる。
【００２５】
また、ＡＣアダプタが接続された場合に撮影モードを監視撮影モードに切り替えることにより、撮影モードを容易に監視撮影モードに切り替えることができる。
【発明を実施するための最良の形態】
【００２６】
以下、図面を参照して本発明の実施形態について説明する。図１は本発明の実施形態による撮影装置を適用したデジタルカメラ１の背面斜視図である。デジタルカメラ１は、図示していないが、その正面にレンズ、ストロボ、補助光ランプ、各種センサ等の、撮影に必要な一般的な各種装置が設けられている。背面および側面には、モニタ１５、十字キーや操作ボタンからなる入力部１７、ＡＣ端子１８、メディアスロット１９およびマイク２０を備える。
【００２７】
モニタ１５には、メディアスロット１９に装填されたメモリカード等の記録媒体に記録された画像の表示、各種設定に必要なメニュー画面、撮影時においてはＣＣＤ（不図示）によって取得されたスルー画像が表示される。
【００２８】
ＡＣ端子１８にはＡＣアダプタ３０が接続され、これにより、デジタルカメラ１に電力が供給される。
【００２９】
メディアスロット１９は、メモリカードやＩＣメモリ等の記録媒体が装填される装填口であり、メディアスロット１９に記録媒体が装填されると、記録媒体に対してデータの読み取り／書き込みが行われる。
【００３０】
マイク２０は、音声をデジタルカメラ１に入力する。
【００３１】
図２は本実施形態によるデジタルカメラ１の内部構成を示すブロック図である。デジタルカメラ１は、ＣＰＵ１１（撮影モード切替手段、再生モード切替手段、記録制御手段、再生制御手段）、撮像部１２、記憶部１３、表示制御部１４、モニタ１５、入力制御部１６、入力部１７、ＡＣ端子１８、メディアスロット１９、マイク２０、マイク制御部２１、電源制御部２２および画像処理部２３を備える。
【００３２】
撮像部１２は、撮影に用いられるレンズおよびレンズ駆動部、ＡＦ制御部、ＩＳＯ感度制御部、ＣＣＤおよびＣＣＤ駆動部、Ａ／Ｄ変換器等を備えて構成されており、ＣＰＵ１１から出力される制御信号にしたがって撮像処理を行う。
【００３３】
記憶部１３は、プログラムやデータ等が予め記録されている記録媒体であり、磁気的または光学的記録媒体、半導体メモリ等によって構成されている。記憶部１３には、デジタルカメラ１を作動させるための各種プログラムが記録されている。
【００３４】
表示制御部１４は、ＣＰＵ１１から入力される表示信号に基づいて、モニタ１５を制御して画像を含む各種情報を表示させる。モニタ１５は、ブラウン管、ＬＣＤ（Liquid Crystal Display）、ＥＬＤ（Electronic Luminescent Display）等で構成される。
【００３５】
入力制御部１６は、入力部１７の操作内容をＣＰＵ１１に入力する。
【００３６】
メディアスロット１９は、メモリカードやＩＣメモリといった記録媒体２５に対してデータの読み取り／書き込みを行う。
【００３７】
マイク制御部２１は、マイク２０の駆動を制御するとともに、マイク２０が集音した音声の音量を検出し、検出した音量が所定の大きさ以上である場合に、その旨の信号（音声検出信号とする）をＣＰＵ１１に出力する。具体的には、検出した音量が所定のしきい値以上の場合に、音声検出信号を出力する。
【００３８】
電源制御部２２は、ＡＣ端子１８からデジタルカメラ１に供給される電力の制御を行うものであり、不図示の充電池に対して充電を行ったり、ＡＣ端子１８から供給される電力によりデジタルカメラ１を駆動したりする。
【００３９】
画像処理部２３は、後述する通常撮影モード時においては、撮像部１２が取得した画像に対して画質を向上させるための画像処理を施す。具体的には、明るさ補正処理、階調処理、色補正処理、およびシャープネス処理等を施す。なお、監視撮影モード時においては、撮影により取得した画像にシャープネス処理のみを施す。
【００４０】
ＣＰＵ１１は、入力される指示信号に応じて所定のプログラムに基づいた処理を実行する等して、デジタルカメラ１を統括的に制御するものである。具体的には、ＣＰＵ１１は入力部１７の操作によって入力される指示信号に応じて記憶部１３から読み出したプログラムに基づいて処理を実行する。
【００４１】
より具体的には、デジタルカメラ１のモードが撮影モードにある場合において、ＡＣ端子１８にＡＣアダプタ３０が接続されていない場合、デジタルカメラ１の撮影モードを通常撮影モードに切り替える。一方、ＡＣ端子１８にＡＣアダプタ３０が接続されている場合、デジタルカメラ１の撮影モードを監視撮影モードに切り替える。
【００４２】
ここで、通常撮影モードとは、レリーズボタンの押下によるユーザの撮影操作により被写体の撮影を行い、これにより取得された画像を記録媒体２５における第１のメモリ領域に記録するモードである。監視撮影モードとは、所定時間Ｔ１の間隔により被写体の撮影常時を行って、これにより取得された画像を記録媒体２５における第２のメモリ領域に記録するモードである。
【００４３】
図３は記録媒体２５のメモリ領域を示す図である。なお、図３においては、第１のメモリ領域２５Ａと第２のメモリ領域２５Ｂとの割合を３：７としているが、これに限定されるものではない。なお、第１のメモリ領域２５Ａと第２のメモリ領域２５Ｂとは、記録媒体２５のメモリ領域におけるアドレスの位置により区分すればよい。
【００４４】
なお、監視撮影モード時においては、取得される画像は、第２のメモリ領域２５Ｂに順次記録され、第２のメモリ領域２５Ｂの空き領域がなくなると、撮影日時の古い画像から順に新たな画像を上書きして記録するリングバッファ方式を採用している。すなわち、図４（ａ）に示すように第２のメモリ領域２５Ｂの先頭のアドレスから順に画像１、画像２…と画像を記録し、図４（ｂ）に示すように第２のメモリ領域２５Ｂの最後のアドレスまで画像を記録する。ここで、第２のメモリ領域２５Ｂの最後のアドレスに記録された画像を画像ｉとすると、次に取得される画像ｉ＋１は、図４（ｃ）に示すように撮影日時が最も古い画像１に上書きされて第２のメモリ領域２５Ｂに記録される。
【００４５】
また、ＣＰＵ１１は、ユーザの設定により、監視撮影モード時において、マイク制御部２１が出力した音声検出信号を受信すると、その直後に撮影した画像を第２のメモリ領域２５Ｂに記録した後、一定時間Ｔ０の経過後に画像の記録を停止する。ここで、一定時間Ｔ０としては、音声検出信号の受信時に画像を取得してから予め定められた数の画像を取得することが可能な長さとすればよい
なお、図５に示すように記録媒体２５の第２のメモリ領域２５Ａの一部に上書き禁止とする第３のメモリ領域２５Ｃを設定し、音声検出信号を受信すると、そのときに撮影した画像を第３のメモリ領域２５Ｃに記録するようにしてもよい。
【００４６】
また、ＣＰＵ１１は、ユーザの設定により、音声検出信号を受信するとＩＳＯ感度を例えば４００以上の高感度に変更するように撮像部１２に対して指示を行う。これにより、撮像部１２は変更された感度により撮影を行う。
【００４７】
また、ＣＰＵ１１は、ユーザの設定により、音声検出信号を受信すると画素数をデジタルカメラ１が取得可能な最大画素数に変更する指示を撮像部１２に対して行う。これにより、撮像部１２は変更された画素数により画像が取得されるように撮影を行う。なお、変更する画素数は、現在設定されている画素数より大きければ、最大画素数に限定されるものではない。
【００４８】
また、ＣＰＵ１１は、ユーザの設定により、音声検出信号を受信すると通常監視撮影モード時には行われないシャープネス処理を画像に対して施すように、画像処理部２３に対して指示を行う。これにより、画像処理部２３は撮影により取得した画像に対してシャープネス処理を施す。
【００４９】
また、ＣＰＵ１１は、デジタルカメラ１のモードが再生モードにある場合において、通常撮影モードにより取得した画像を再生する通常再生モードおよび監視撮影モードにより取得した画像を再生する監視再生モードの切り替えの指示に応じて、再生モードを切り替える。なお、切り替えの指示は入力部１７から行われる。そして、通常再生モードに切り替えられた場合には、通常撮影モードにより取得した画像を再生する。一方、監視再生モードに切り替えられた場合には、監視撮影モードにより取得した画像を再生する。
【００５０】
次いで、本実施形態において行われる処理について説明する。本実施形態によるデジタルカメラ１は、ユーザが入力部１７から指示を行うことにより、監視撮影モード時における撮影処理を種々設定することが可能であるため、以下設定可能な撮影処理について順次説明する。
【００５１】
図６は本実施形態において行われる処理のフローチャートである。電源をオンとすることによりＣＰＵ１１が処理を開始し、デジタルカメラ１のモードを判定する（ステップＳＴＳＴ１）。デジタルカメラ１のモードが再生モードにある場合には、後述する再生モードの処理を行う（ステップＳＴ２）。
【００５２】
デジタルカメラ１のモードが撮影モードにある場合には、ＡＣ端子１８にＡＣアダプタ３０が接続されているか否かを判定し（ステップＳＴ３）、ステップＳＴ３が否定されると、撮影モードを通常撮影モードに切り替え（ステップＳＴ４）、後述する通常撮影モードによる撮影処理を行う（ステップＳＴ５）。なお、ＡＣ端子１８にＡＣアダプタ３０が接続されているか否かの判定に代えて、ユーザが撮影モードを監視撮影モードに設定しているか否かを判定してもよい。
【００５３】
ステップＳＴ３が肯定されると、撮影モードを監視撮影モードに切り替え（ステップＳＴ６）、監視撮影モードによる撮影処理を行う（ステップＳＴ７）。
【００５４】
図７は監視撮影モードによる撮影処理のフローチャートである。なお、この撮影処理を第１の撮影処理と称する。まず、ユーザによる電源オフ、撮影モードの切り替え等、監視撮影モードの終了の指示がなされたか否かを判定し（ステップＳＴ１１）、ステップＳＴ１１が肯定されると処理を終了する。ステップＳＴ１１が否定されると、撮像部１２により撮影を行う（ステップＳＴ１２）。次いで、第２のメモリ領域２５Ｂに空き領域があるか否かを判定し（ステップＳＴ１３）、ステップＳＴ１３が肯定されると、第２のメモリ領域２５Ｂの空き領域に撮影により取得した画像を記録する（ステップＳＴ１４）。
【００５５】
ステップＳＴ１３が否定されると、第２のメモリ領域２５Ｂに記録された画像のうち、最も撮影日時の古い画像に撮影により取得した画像を上書きすることにより、撮影により取得した画像を第２のメモリ領域２５Ｂに記録する（ステップＳＴ１５）。
【００５６】
ステップＳＴ１４，１５に続いて、撮影から所定時間Ｔ１が経過したか否かを判定し（ステップＳＴ１６）、ステップＳＴ１６が肯定されるとステップＳＴ１２に戻り、ステップＳＴ１２以降の処理を繰り返す。これにより所定時間Ｔ１の間隔にて常時撮影が行われる。ステップＳＴ１６が否定されるとユーザによる監視撮影モードの終了の指示がなされたか否かを判定し（ステップＳＴ１７）、ステップＳＴ１７が否定されるとステップＳＴ１６に戻る。ステップＳＴ１７が肯定されると処理を終了する。
【００５７】
図８は再生モードの処理のフローチャートである。まずＣＰＵ１１は再生モードが監視再生モードに設定されているか否かを判定する（ステップＳＴ２１）。ステップＳＴ２１が肯定されると、記録媒体２５の第２のメモリ領域２５Ｂに記録されている画像を撮影日時が古いものから順に再生し（ステップＳＴ２２）、処理を終了する。ステップＳＴ２１が否定されると、記録媒体２５の第１のメモリ領域２５Ａに記録されている画像を撮影日時が古いものから順に再生し（ステップＳＴ２３）、処理を終了する。
【００５８】
図９は通常撮影モードによる撮影処理のフローチャートである。まず、ＣＰＵ１１は、レリーズボタンの押下による撮影の指示がなされたか否かを判定し（ステップＳＴ３１）、ステップＳＴ３１が否定されるとステップＳＴ３６に進む。ステップＳＴ３１が肯定されると撮像部１２により撮影を行う（ステップＳＴ３２）。次いで、第１のメモリ領域２５Ａに空き領域があるか否かを判定し（ステップＳＴ３３）、ステップＳＴ３３が肯定されると、第１のメモリ領域２５Ａの空き領域に撮影により取得した画像を記録する（ステップＳＴ３４）。
【００５９】
ステップＳＴ３３が否定されると、第２のメモリ領域２５Ｂに撮影により取得した画像を記録する（ステップＳＴ３５）。この場合、第２のメモリ領域２５Ｂに空き領域があればそこに画像を記録し、空き領域がなければ、第２のメモリ領域２５Ｂに記録された画像のうち、最も撮影日時の古い画像に撮影により取得した画像を上書きする。この場合、第２のメモリ領域２５Ｂに上書き禁止とするメモリ領域を設定し、ここに通常撮影モードにより取得した画像を記録する。
【００６０】
ステップＳＴ３４，３５に続いて、ユーザによる通常撮影モードの終了の指示がなされたか否かを判定し（ステップＳＴ３６）、ステップＳＴ３６が否定されるとステップＳＴ３１に戻る。ステップＳＴ３６が肯定されると処理を終了する。
【００６１】
このように、第１の処理においては、デジタルカメラ１の撮影モードを、撮影の指示により被写体の画像を取得する通常撮影モードと、所定時間Ｔ１の間隔で常時撮影を行って被写体の画像を取得する監視撮影モードとに切り替えるようにし、監視撮影モード時には、画像を撮影日時の古い画像に順次上書きしつつ記録媒体２５の第２のメモリ領域２５Ｂに記録するようにしたものである。これにより、１台のデジタルカメラ１により、通常の撮影および監視用の撮影の双方を行うことができるため、通常の撮影用のデジタルカメラと、監視用のデジタルカメラとを別個に用意する必要がなくなる。したがって、セキュリティシステムを低コストにて構築することができる。
【００６２】
また、通常撮影モードにより取得した画像を記録媒体２５の第１のメモリ領域２５Ａに、監視撮影モードにより取得した画像を第２のメモリ領域２５Ｂに記録することにより、通常撮影モードにより取得した画像と、監視撮影モードにより取得した画像とが混在して記録媒体２５に記録されることを防止できる。
【００６３】
この場合において、通常撮影モード時に第１のメモリ領域２５Ａが不足する場合に、撮影により取得した画像を第２のメモリ領域２５Ｂに記録することにより、通常撮影モードにより取得した画像を残しておくことが可能となる。
【００６４】
また、通常撮影モードにより取得した画像を再生する通常再生モードと、監視撮影モードにより取得した画像を再生する監視再生モードとに切り替えるようにし、通常撮影モード時には通常撮影モードにより取得した画像を再生し、監視再生モード時には監視撮影モードにより取得した画像を再生することにより、通常撮影モードにより取得した画像と監視撮影モードにより取得した画像とが混在して再生されてしまうことを防止できる。
【００６５】
次いで、本実施形態の第２の撮影処理について説明する。図１０は監視撮影モードによる第２の撮影処理のフローチャートである。まず、ユーザによる監視撮影モードの終了の指示がなされたか否かを判定し（ステップＳＴ４１）、ステップＳＴ４１が肯定されると処理を終了する。ステップＳＴ４１が否定されると、ＣＰＵ１１に音声検出信号が入力されたか否かを判定する（ステップＳＴ４２）。ステップＳＴ４２が否定されると、図７におけるステップＳＴ１２の処理へ進む。この場合、ステップＳＴ１６が否定されるとステップＳＴ４２に戻ることとなる。
【００６６】
ステップＳＴ４２が肯定されると、撮像部１２により撮影を行う（ステップＳＴ４３）。次いで、第２のメモリ領域２５Ｂに空き領域があるか否かを判定し（ステップＳＴ４４）、ステップＳＴ４４が肯定されると、第２のメモリ領域２５Ｂの空き領域に撮影により取得した画像を記録する（ステップＳＴ４５）。
【００６７】
ステップＳＴ４４が否定されると、第２のメモリ領域２５Ｂに記録された画像のうち、最も撮影日時の古い画像に撮影により取得した画像を上書きすることにより、撮影により取得した画像を第２のメモリ領域２５Ｂに記録する（ステップＳＴ４６）。
【００６８】
ステップＳＴ４５，４６に続いて、撮影から所定時間Ｔ１を経過したか否かを判定し（ステップＳＴ４７）、ステップＳＴ４７が肯定されるとステップＳＴ４３に戻り、ステップＳＴ４３以降の処理を繰り返す。ステップＳＴ４７が否定されると、音声検出信号が入力されてから一定時間Ｔ０が経過したか否かを判定し（ステップＳＴ４８）、ステップＳＴ４８が肯定されると処理を終了する。
【００６９】
ステップＳＴ４８が否定されると、ユーザによる監視撮影モードの終了の指示がなされたか否かを判定し（ステップＳＴ４９）、ステップＳＴ４９が否定されるとステップＳＴ４７に戻る。ステップＳＴ４９が肯定されると処理を終了する。
【００７０】
このように、第２の処理においては、監視撮影モード時において、所定の大きさ以上の音声を検出した場合に、検出から一定時間Ｔ０の経過後に処理を終了するようにしたため、所定の大きさ以上の音声が検出される異常事態において取得した画像が、上書きされて消失してしまうことを防止できる。
【００７１】
次いで、本実施形態の第３の撮影処理について説明する。図１１は監視撮影モードによる第３の撮影処理のフローチャートである。まず、ユーザによる監視撮影モードの終了の指示がなされたか否かを判定し（ステップＳＴ５１）、ステップＳＴ５１が肯定されると処理を終了する。ステップＳＴ５１が否定されると、ＣＰＵ１１に音声検出信号が入力されたか否かを判定する（ステップＳＴ５２）。ステップＳＴ５２が否定されると、図７におけるステップＳＴ１２の処理へ進む。この場合、ステップＳＴ１６が否定されるとステップＳＴ５２へ戻ることとなる。
【００７２】
ステップＳＴ５２が肯定されると、撮像部１２により撮影を行う（ステップＳＴ５３）。次いで、第２のメモリ領域２５Ｂに空き領域があるか否かを判定し（ステップＳＴ５４）、ステップＳＴ５４が肯定されると、第２のメモリ領域２５Ｂの空き領域に撮影により取得した画像を上書き禁止として記録する（ステップＳＴ５５）。具体的には第２のメモリ領域２５Ｂに上書き禁止の第３のメモリ領域２５Ｃを作成し、ここに画像を記録する。
【００７３】
ステップＳＴ５４が否定されると、第２のメモリ領域２５Ｂに記録された画像のうち、最も撮影日時の古い画像に撮影により取得した画像を上書き禁止として上書きすることにより、撮影により取得した画像を第２のメモリ領域２５Ｂに記録する（ステップＳＴ５６）。具体的には、最も撮影日時の古い画像が記録されたメモリ領域を第３のメモリ領域２５Ｃに設定し、ここに撮影により取得した画像を記録する。
【００７４】
ステップＳＴ５５，５６に続いて、撮影から所定時間Ｔ１を経過したか否かを判定し（ステップＳＴ５７）、ステップＳＴ５７が肯定されるとステップＳＴ５３に戻り、ステップＳＴ５３以降の処理を繰り返す。ステップＳＴ５７が否定されると、ユーザによる監視撮影モードの終了の指示がなされたか否かを判定し（ステップＳＴ５８）、ステップＳＴ５８が否定されるとステップＳＴ５７に戻る。ステップＳＴ５８が肯定されると処理を終了する。
【００７５】
このように、第２の処理においては、監視撮影モード時において、所定の大きさ以上の音声を検出した場合に、検出直後に撮影により取得した画像を上書きを禁止したメモリ領域に記録するようにしたため、所定の大きさ以上の音声が検出される異常事態において取得した画像が、上書きされて消失してしまうことを防止できる。
【００７６】
次いで、本実施形態の第４の処理について説明する。図１２は監視撮影モードによる第４の撮影処理のフローチャートである。まず、ユーザによる監視撮影モードの終了の指示がなされたか否かを判定し（ステップＳＴ６１）、ステップＳＴ６１が肯定されると処理を終了する。ステップＳＴ６１が否定されると、ＣＰＵ１１に音声検出信号が入力されたか否かを判定する（ステップＳＴ６２）。ステップＳＴ６２が否定されると、図７におけるステップＳＴ１２の処理へ進む。この場合、ステップＳＴ１６が否定されるとステップＳＴ６２に戻ることとなる。
【００７７】
ステップＳＴ６２が肯定されると、ＩＳＯ感度を高くするように変更するとともに、画素数を高くするように変更する指示を行い（ステップＳＴ６３）、撮像部１２により撮影を行う（ステップＳＴ６４）。次いで、画像処理部２３により画像に対してシャープネス処理を施し（ステップＳＴ６５）、さらに第２のメモリ領域２５Ｂに空き領域があるか否かを判定する（ステップＳＴ６６）。ステップＳＴ６６が肯定されると、第２のメモリ領域２５Ｂの空き領域に撮影により取得したシャープネス処理済みの画像を記録する（ステップＳＴ６７）。
【００７８】
ステップＳＴ６６が否定されると、第２のメモリ領域２５Ｂに記録された画像のうち、最も撮影日時の古い画像に撮影により取得したシャープネス処理済みの画像を上書きすることにより、撮影により取得した画像を第２のメモリ領域２５Ｂに記録する（ステップＳＴ６８）。
【００７９】
ステップＳＴ６７，６８に続いて、撮影から所定時間Ｔ１を経過したか否かを判定し（ステップＳＴ６９）、ステップＳＴ６９が肯定されるとステップＳＴ６４に戻り、ステップＳＴ６４以降の処理を繰り返す。ステップＳＴ６９が否定されると、音声検出信号が入力されてから一定時間Ｔ０が経過したか否かを判定し（ステップＳＴ７０）、ステップＳＴ７０が肯定されると処理を終了する。
【００８０】
ステップＳＴ７０が否定されると、ユーザによる監視撮影モードの終了の指示がなされたか否かを判定し（ステップＳＴ７１）、ステップＳＴ７１が否定されるとステップＳＴ６９に戻る。ステップＳＴ７１が肯定されると処理を終了する。
【００８１】
このように、第４の処理においては、所定の大きさ以上の音声を検出した場合に、ＩＳＯ感度を高くして撮影を行うようにしたため、所定の大きさ以上の音声が検出される異常事態において、デジタルカメラ１が設置された環境の明るさが不足している場合にも、被写体を認識可能な画像を取得することができる。
【００８２】
また、所定の大きさ以上の音声を検出した場合に、画素数を大きくするようにしたため、画像を拡大してもボケが少なくなり、その結果、所定の大きさ以上の音声が検出される異常事態の被写体を詳細に認識することが容易となる。
【００８３】
また、所定の大きさ以上の音声を検出した場合に、撮影により取得した画像に対してシャープネス処理を施すようにしたため、所定の大きさ以上の音声が検出される異常事態において、画像に含まれる被写体を認識することが容易となる。
【００８４】
なお、上記第４の処理においては、ＩＳＯ感度を高くする処理、画素数を高くする処理、および画像に対するシャープネス処理のすべての処理を行っているが、これらのうちの少なくとも１つの処理を行うようにしてもよい。
【００８５】
また、上記第４の処理においては、所定の大きさ以上の音声を検出した場合に、検出してから一定時間Ｔ０の経過後に処理を終了しているが、第３の処理と同様に、所定の大きさ以上の音声を検出した場合に、そのときに撮影により取得した画像を上書きを禁止したメモリ領域に記録するようにしてもよい。
【００８６】
以上、本発明の実施形態に係るデジタルカメラについて説明したが、コンピュータに図６〜１２に示すような処理を行わせるプログラムも、本発明の実施形態の１つである。また、そのようなプログラムを記録したコンピュータ読み取り可能な記録媒体も、本発明の実施形態の１つである。
【図面の簡単な説明】
【００８７】
【図１】デジタルカメラの背面斜視図
【図２】本実施形態におけるデジタルカメラの内部構成を示すブロック図
【図３】記録媒体のメモリ領域を示す図
【図４】監視撮影モード時におけるメモリ領域への画像の記録を説明するための図
【図５】上書き禁止とするメモリ領域を説明するための図
【図６】本実施形態において行われる処理のフローチャート
【図７】監視撮影モードによる第１の撮影処理のフローチャート
【図８】再生モードの処理のフローチャート
【図９】通常撮影モードによる撮影処理のフローチャート
【図１０】監視撮影モードによる第２の撮影処理のフローチャート
【図１１】監視撮影モードによる第３の撮影処理のフローチャート
【図１２】監視撮影モードによる第４の撮影処理のフローチャート
【符号の説明】
【００８８】
１  デジタルカメラ
１１    ＣＰＵ
１２    撮像部
１３    記憶部
１４    表示制御部
１５    モニタ
１６    入力制御部
１７    入力部
１８    ＡＣ端子
１９    メディアスロット
２０    マイク
２１    マイク制御部
２２    電源制御部
２３    画像処理部
２５    記録媒体
３０    ＡＣアダプタ
【図１】
2008109575.tif 000003
【図２】
2008109575.tif 000004
【図３】
2008109575.tif 000005
【図４】
2008109575.tif 000006
【図５】
2008109575.tif 000007
【図６】
2008109575.tif 000008
【図７】
2008109575.tif 000009
【図８】
2008109575.tif 000010
【図９】
2008109575.tif 000011
【図１０】
2008109575.tif 000012
【図１１】
2008109575.tif 000013
【図１２】
2008109575.tif 000014